(57)【特許請求の範囲】
【請求項１】
建造物の外壁パネルおよび／または屋根パネルの内部に空気流通層を設けるとともに、該空気流通層内へ空気を流入させるために空気流通層の下端部に設けた流通機構の空気流入口に設置する空気流入逆止弁において、
空気流通層内に空気を取り込むための前記空気流入逆止弁は、側面を開口部とした円筒状のフィン座と、軸回転移動して前記フィン座の空気流通層側の開口部を開閉するフィン本体と、からなり、
前記フィン本体は、前記フィン座の開口部に嵌着して開口を閉塞する凸状板（湾曲板）からなる蓋部と、前記蓋部の下部に延設されフィン本体を閉方向へ軸回転させる重力を生じる前記開口部の前面方向に突出するメインウエイト部と、前記蓋部の下端部に延設されフィン本体を開方向へ軸回転させる重力を生じるテールウエイト部と、蓋部とテールウエイト部の中間に位置するフィン本体の重心の上を横切る線上に貫設されるシャフトと、から構成されており、
前記フィン本体を、前記シャフトを介して前記フィン座の開口部の背面側下部に設けた軸受に揺動自在に軸装し、空気流通層内が無気流時に前記フィン本体が前記フィン座に接近する方向に軸回転移動するようにシャフトを中心とするフィン本体の重力バランスを取る事により蓋部がフィン座の開口を塞いで閉鎖状態を形成し空気流通層内からの空気の流出を防止するとともに、空気流通層内に上昇気流が発生した際に、前記蓋部の空気流通層側の面を上昇気流が通過することによりフィン本体に揚力を生じさせフィン本体がフィン座から遠ざかる方向に軸回転移動して開口し空気流通層内に空気を導入させるため、
前記フィン本体の蓋部の背面側に、空気流入逆止弁を外壁パネルに設置する際にはフィン本体を開方向へ付勢をするとともに屋根パネルに設置する際にはフィン本体を閉方向へ付勢をする重錘からなる補助ウエイト部と、気流の通過によりフィン本体を開方向へ軸回転させる揚力の生じる形状の凹部からなる揚力発生凹スロープと、を設けたことを特徴とする空気流入逆止弁。
【請求項２】
前記補助ウエイト部は、前記シャフトより上部に延設するとともに、前記フィン本体の蓋部の背面側の左右両側に上部から下部に渡って流線型状に立設することを特徴とする請求項１記載の空気流入逆止弁。
【請求項３】
前記フィン座は、前記空気流通層側に空気流通層の幅と等幅からなる一対のフィン回転保護壁を前記フィン本体の左右に対峙するように設置したことを特徴とする請求項１記載の空気流入逆止弁。
【請求項４】
前記蓋部は、フィン本体の開方向への軸回転力となる揚力を揚力発生凹スロープ全面で得るとともに軸回転しやすくするため、蓋部上部を直線状に形成したことを特徴とする請求項１記載の空気流入逆止弁。
【請求項５】
前記蓋部は、前記開口の閉鎖時に前記開口に嵌着する凸状嵌合部を設けたことを特徴とする請求項１記載の空気流入逆止弁。
【請求項６】
前記外壁パネルおよび前記屋根パネルは、相互の空気流通層が一の連通路を形成するように、外壁パネル上部に接続口を有するとともに屋根パネルの建造物内部側に前記接続口と接続する接続受口を設けており、
更に、前記外壁パネルおよび前記屋根パネルへの太陽光照射により、空気流通層内に上昇気流が発生した際に、前記空気流入口から前記空気流入逆止弁を介して流入した空気が空気流通層を上昇し、該空気が屋根パネル上部へ達した場合には空気流通層内から素早く排出するため、屋根パネルの上部に空気排気口を設けたことを特徴とする空気流入逆止弁を用いた建造物内の空気の流通機構。
【発明の詳細な説明】
【技術分野】
【０００１】
本発明は、建造物内において空気を循環させるための空気流通層を装備した建造物内空気流通機構に用いる空気の流入逆止弁であって、空気流通層内に空気を導入流入させるとともに空気の排出逆流を防ぐ空気流入逆止弁に関する。
【背景技術】
【０００２】
従来より、建造物内の空調設備に供される機器として、夏季はクーラー等の冷房装置が、冬季はストーブ、エアコン、ガスヒーターや、温水等を用いた床下暖房機器等の暖房装置が広く使用されており、居住空間の快適性が高まっている。
また、快適性とともに経済性を追求するため、建造物内全体の温度や湿度等を自動的に管理することにより、建造物内の空調を一元管理するシステムが普及している。
【０００３】
例えば、特開２０１３−２３５３２２号公報では、建物内の居住環境の最適化および環境負荷の軽減を図ることを目的として、ホストサーバが、温湿度センサの検出した屋外の温度と、住宅の消費電力量が、消費電力量マップの所定の範囲にあるか否かを判定し、この判定に基づいて住宅の屋外に面した窓を覆うブラインドやガラス戸の開閉の要否を決定する技術が開示されている。ここでは、サーバがセンサ等から送信される情報を基に判断して住宅内の温度調整を行っている。
【０００４】
近年、環境に配慮した製品やサービスを提供する必要性が各種業界において要求されており、住宅関連業界にもその風潮がある。需要者の意識も高いため、環境に配慮した省エネ型の建造物内の空調設備に関する技術の開発は急務といえる。前記特開２０１３−２３５３２２号公報で開示されている技術は、住居内の温度管理をシステム的に自動化させることで、居住空間の快適性および経済性を高めており、環境に対する負荷を軽減したものであるが、システムを稼働させるためには電気が必ず必要となるため、環境に対する負荷は必ずしもゼロにはならないという意味では環境に完全に配慮したものとはいえないという問題点があった。
【０００５】
本発明の出願人は、特許第３１７９３３号（特開平１０−３２５５８５号）の特許権者であり、かつ、特許第４３１４４０８号（特開２００６−４６６６９号）および特許４９４７７４６号（特開２０１２−２１９４７６号）の発明者および特許権者でもある。
【０００６】
特許第３１７９３３号（特開平１０−３２５５８５号）には、建造物内に２重壁による空気を流通させる空間を設け、外壁を太陽光が加熱することにより層内の空気が自然に暖められ、または、冷却されることによっても空気の循環が始まり、これを促進・加速することにより建造物内における天然の暖房または冷房を行う技術が開示されており、暖冷房に消費される燃料を削減し、自然への負荷を軽減することが可能になる旨が示唆されている。
また、特許第４３１４４０８号（特開２００６−４６６６９号）には、建造物内に空気を循環させる仕様の建造物の床下に設置される床下換気装置に関する技術が開示されている。
【０００７】
更に、特許４９４７７４６号（特開２０１２−２１９４７６号）には、建造物内空気流通機構に装備される空気流通層への空気の流通効率を上げるとともに、空気流通の停止時（夜間等）には空気流通層内の空気の逆流を防止して結露を防ぐための空気流入逆止弁・空気排出逆止弁に関する技術、および、これらを用いた建造物内空気流通機構に関する技術が開示されている。
これらの発明は、いずれも空調について電気を使った制御を行うことなく、自然の力を利用して建造物内の空調を行うものであり、これらの技術を利用した建造物は、環境に充分配慮したものであるということができる。
【０００８】
従来の発明は、建造物の外壁や屋根が太陽光によって熱せられることで、建造物内に設けられた空気流通層内の空気が温められることにより発生する上昇気流の力を利用している。すなわち、この発生した上昇気流の力を利用して、外壁の内側および／または屋根部に設けられた空気流通層の蓋となる逆止弁が開くことにより、建造物の床下の空気が吸い上げられて建造物内の空気の循環流通が始まる。空気流通層内で発生した上昇気流は建造物内に放出され、かつ、下部に設けられた逆止弁を同時に開いた状態にして空気を取り込む構造となっている。気温が下がると、空気流通層内の空気の流れは停止するため、重量バランスにより逆止弁は閉じられる構成となっている。
【０００９】
しかしながら、この従来の逆止弁を開くにはある程度の強さの上昇気流が必要とされており、建造物内の空気循環を開始させるのに時間が掛かるという問題点があった。また、開口部の開閉状態が不完全であるため、空気循環が開始される程度の上昇気流が発生した場合であっても、充分な量の空気を建造物内に循環させることが困難な状態となっているという問題点も内在していた。
上記のような問題点を解消した空気流入逆止弁の開発が待たれていた。
【特許文献１】特開２０１３−２３５３２２号公報
【特許文献２】特開平１０−３２５５８５号公報
【特許文献３】特開２００６−４６６６９号公報
【特許文献４】特開２０１２−２１９４７６号公報
【発明の開示】
【発明が解決しようとする課題】
【００１０】
本発明は上記問題を解決するために、建造物内において空気を循環させるための空気流通層を装備した建造物内空気流通機構に用いる空気の流入逆止弁であって、空気流通層内に多くの空気を導入流入させるとともに空気の排出逆流を防ぐための、開閉容易な空気流入逆止弁を提供する。
【課題を解決するための手段】
【００１１】
上記の目的を達成するために本発明に係る空気流入逆止弁は、建造物の外壁パネルおよび／または屋根パネルの内部に空気流通層を設けるとともに、該空気流通層内へ空気を流入させるために空気流通層の下端部に設けた流通機構の空気流入口に設置する空気流入逆止弁であって、空気流通層内に空気を取り込むための前記空気流入逆止弁は、側面を開口部とした円筒状のフィン座と、軸回転移動して前記フィン座の空気流通層側の開口部を開閉するフィン本体と、からなり、前記フィン本体は、前記フィン座の開口部に嵌着して開口を閉塞する凸状板（湾曲板）からなる蓋部と、前記蓋部の下部に延設されフィン本体を閉方向へ軸回転させる重力を生じる前記開口部の前面方向に突出するメインウエイト部と、前記蓋部の下端部に延設されフィン本体を開方向へ軸回転させる重力を生じるテールウエイト部と、蓋部とテールウエイト部の中間に位置するフィン本体の重心の上を横切る線上に貫設されるシャフトと、から構成されており、前記フィン本体を、前記シャフトを介して前記フィン座の開口部の背面側下部に設けた軸受に揺動自在に軸装し、空気流通層内が無気流時に前記フィン本体が前記フィン座に接近する方向に軸回転移動するようにシャフトを中心とするフィン本体の重力バランスを取る事により蓋部がフィン座の開口を塞いで閉鎖状態を形成し空気流通層内からの空気の流出を防止するとともに、空気流通層内に上昇気流が発生した際に、前記蓋部の空気流通層側の面を上昇気流が通過することによりフィン本体に揚力を生じさせフィン本体がフィン座から遠ざかる方向に軸回転移動して開口し空気流通層内に空気を導入させるため、前記フィン本体の蓋部の背面側に、空気流入逆止弁を外壁パネルに設置する際にはフィン本体を開方向へ付勢をするとともに屋根パネルに設置する際にはフィン本体を閉方向へ付勢をする重錘からなる補助ウエイト部と、気流の通過によりフィン本体を開方向へ軸回転させる揚力の生じる形状の凹部からなる揚力発生凹スロープと、を設けた構成である
【００１２】
また、前記補助ウエイト部は、前記シャフトより上部に延設するとともに、前記フィン本体の蓋部の背面側の左右両側に上部から下部に渡って流線型状に立設する構成である。
また、前記フィン座は、前記空気流通層側に空気流通層の幅と等幅からなる一対のフィン回転保護壁を前記フィン本体の左右に対峙するように設置した構成である。
【００１３】
更に、前記蓋部は、フィン本体の開方向への軸回転力となる揚力を揚力発生凹スロープ全面で得るとともに軸回転しやすくするため、蓋部上部を直線状に形成した構成でもある。
また、前記蓋部は、前記開口の閉鎖時に前記開口に嵌着する凸状嵌合部を設けた構成である。
【００１４】
また、前記外壁パネルおよび前記屋根パネルは、相互の空気流通層が一の連通路を形成するように、外壁パネル上部に接続口を有するとともに屋根パネルの建造物内部側に前記接続口と接続する接続受口を設けており、更に、前記外壁パネルおよび前記屋根パネルへの太陽光照射により、空気流通層内に上昇気流が発生した際に、前記空気流入口から前記空気流入逆止弁を介して流入した空気が空気流通層を上昇し、該空気が屋根パネル上部へ達した場合には空気流通層内から素早く排出するため、屋根パネルの上部に空気排気口を設けた構成である。
【発明の効果】
【００１５】
本発明は、上記詳述した通りの構成であるので、以下のような効果を奏する。
１．開口部の前面方向に突出するメインウエイト部を設けたため、フィン本体を閉じる方向へ回転させる力を容易に発生することが出来るとともに、傾斜角の緩い屋根に配置した場合であっても閉じる回転力を得ることが可能となる。また、蓋部の下端部にテールウエイト部を延設したため、フィン本体を開方向へ軸回転させる力を得ることが可能となる。また、補助ウエイト部を設けたため、設置角度に応じて回転させる力の方向を変えることが可能となる。更に、揚力発生凹スロープを設けたため、上昇気流をとらえて他の動力を加えることなくフィン本体を軸回転させて蓋を開放する事が可能となる。
２．補助ウエイト部をシャフトより上部に設置したため、壁面および屋根の何れに空気排出逆止弁を設置しても容易に開閉を行う事が可能となる。また、補助ウエイト部を流線型状に構成したため、流通層内の内壁に接触する事なくフィン本体を軸回転することが可能となる。
【００１６】
３．フィン座に一対のフィン回転保護壁を設けたため、一定のクリアランスを確保することが可能となり、空気流通層内の壁面部材がフィン本体に接触することを防ぐことが可能となる。
４．蓋部上部を直線状に形成したため、フィン本体の揚力が得やすくなる。
【００１７】
５．蓋部に凸状嵌合部を設けため、フィン本体の蓋部が閉状態の際に密封状態とすることが可能となる。
６．外壁パネル上部に接続口を設け、屋根パネルに接続受口を設けたため、外壁下部から屋根上部まで一連の空気流通層を形成することが可能となる。
【発明を実施するための最良の形態】
【００１８】
以下、本発明に係る空気流入逆止弁を、図面に示す実施例に基づいて詳細に説明する。
図１は、本発明に係る空気流入逆止弁の斜視図であり、図２は、フィン座の斜視図である。図３は、空気流入逆止弁のフィン本体の斜視図であり、図４は、開口部側から見たフィン本体の斜視図である。図５は、フィン本体の側面断面図であり、図６ａは、壁面に設置した空気流入逆止弁の側面断面図である。図６ｂは、屋根に設置した空気流入逆止弁の側面断面図であり、図７は、空気流入逆止弁を設置した流通機構の概念図である。図８は、屋根に空気流入逆止弁を設置した流通機構の概念図である。
【００１９】
本発明の空気流入逆止弁１０は、図６ａおよび図６ｂに示すように、空気流通層２０を有する建造物内に設けられる流通機構１に設置される流通する空気の逆止弁である。流通機構１は、本発明に係る空気流入逆止弁１０と空気流通層２０とからなり、建造物の外壁パネル２ａおよび／または屋根パネル２ｂの内部に空気流通層２０を設けるとともに、空気流通層２０内へ空気を取り込んで流入させるために、図７および図８に示すように、空気流入逆止弁１０を空気流通層２０の下端部に設けた構成となっている。
【００２０】
空気流入逆止弁１０は、図１、図７および図８に示すように、空気流通層２０の空気流入口４に設置される部材であり、フィン本体１００と、フィン座２００とによって構成される。フィン座２００は、空気流通層２０に設けられた開口（空気流入口４）に嵌合して固定されるフィン本体１００の土台となる部材で、図２に示すように略円筒状からなり、両側に貫通した開口部２１０を有している。また、フィン本体１００は、フィン座２００に揺動自在に設置され、空気流通層２０側の開口部２１０を軸回転移動して開閉する蓋の役割を果たすフィン状部材である。
【００２１】
フィン本体１００は、図３および図４に示すように、蓋部１１０と、メインウエイト部１２０と、テールウエイト部１３０と、シャフト１４０と、補助ウエイト部１５０と、揚力発生凹スロープ１６０とからなる。フィン本体１００は、軽さと断熱性が要求される部材であるため、本実施例では発泡スチロールで構成されているが、これに限定されることはなく、軽量であってかつ断熱性を有する材質であれば適宜選択して使用することが可能である。
【００２２】
蓋部１１０は、フィン座２００の開口部２１０に嵌着して開口を閉塞するための蓋であり、図３および図４に示すように、凸状板（湾曲板）からなる。本実施例では、蓋部１１０は、シャフト１４０より上側に立設した構成となっており、高さと幅の比は幅の方が高さより長い形状となっている。
【００２３】
メインウエイト部１２０は、フィン本体１００を閉じる方向へ軸回転させる補助力となる重力を発生する重錘の役割を果たす部材であり、図４に示すように、蓋部１１０の下に向かってシャフト１４０近傍からフィン座２００の開口部２１０側に延設される構成となっており、図６ａで示すように、開口部２１０の前面方向（２１０ａ）に突出する形状からなる。メインウエイト部１２０はこのような突出した形状からなるため、シャフト１４０を中心とした軸回転を行う力のうちフィン本体１００を閉じる方向へ回転させる補助力となる重力を発生する事となる。
【００２４】
テールウエイト部１３０は、フィン本体１００を開く方向へ軸回転させる補助力となる重力を発生する重錘の役割を果たす部材であり、図３および図４に示すように、蓋部１１０の下方向であってフィン本体１００の背面側（空気流通層２０側）に延設される構成となっている。テールウエイト部１３０は下方向に突出した形状からなるため、蓋部１１０およびメインウエイト部１２０とバランスを取りながらシャフト１４０を中心とした軸回転を行う力のうちフィン本体１００を開く方向へ回転させるための補助力を発生する。
【００２５】
シャフト１４０は、フィン本体１００の回転の軸であり、蓋部１１０とテールウエイト部１３０の中間に位置するフィン本体１００の重心のやや上を横切る線上に貫設される。フィン本体１００は、図１および図２に示すように、シャフト１４０を介してフィン座２００の開口部２１０の背面側下部に設けた軸受２２０に揺動自在に軸装される。シャフト１４０は、経年劣化等による変形が起こりにくい材質であればよく、本実施例では鉄製部材を用いているがこれに限定されるものではない。
【００２６】
本実施例では、図５、図６ａおよび図６ｂに示すように、蓋部１１０が垂直および／または屋根に設置する際の角度に配置した場合にもメインウエイト部１２０とテールウエイト部１３０は、蓋部１１０が閉じる方向へ回転するような重量バランスとなるように構成されている。この構成により、本発明に係る空気流入逆止弁１０を流通機構１に設置した場合に、風等の外圧が掛からない場合は常にフィン本体１００の蓋部１１０がフィン座２００の開口部２１０を閉じた状態を安定的に保持することとなる。
【００２７】
すなわち、空気流通層２０内が無気流時に、フィン本体１００がフィン座２００に接近する方向に軸回転移動するように、シャフト１４０を中心とするフィン本体１００の重量バランスを取る事により、フィン本体１００の蓋部１１０がフィン座２００の開口部２１０を塞いで閉鎖状態を形成し、空気流通層２０内からの空気の排出逆流を防止する構成である。
【００２８】
フィン本体１００には、更に、補助ウエイト部１５０がその両端に立設されている。補助ウエイト部１５０は、図３に示すように、フィン本体１００の蓋部１１０の背面側（空気流通層２０側の面）であって、蓋部の両側端に設置される重錘である。補助ウエイト部１５０は、図６ａおよび図７に示すように、空気流入逆止弁１０を外壁パネル２ａに設置する際には、その重量バランスにより、フィン本体１００を開く方向へ軸回転するように付勢する役割を果たしている。また、図６ｂおよび図８に示すように、空気流入逆止弁１０を屋根パネル２ｂに設置する際には、その重量バランスにより、フィン本体１００を閉じる方向へ軸回転するように付勢する役割を果たしている。
【００２９】
フィン本体１００は、太陽光により外壁パネル２ａや屋根パネル２ｂが温められることによって空気流通層２０内の空気の温度が上がる事により生じる上昇気流が、後述する揚力発生凹スロープ１６０を流通することにより、開く方向に軸回転する構成となっているが、上昇気流は特に発生し始めた段階では緩やかであるため、フィン本体１００が軸回転する十分な力を得ることができない。また、フィン本体１００は、メインウエイト部１２０とテールウエイト部１３０の重量バランスおよび設置角度の関係で、空気流入逆止弁１０が外壁パネル２ａに設置されるより屋根パネル２ｂに設置される方が閉じにくい構造となっている。すなわち、空気流入逆止弁１０を外壁パネル２ａに設置した際には、僅かな上昇気流ではフィン本体１００が開かず、空気流入逆止弁１０を屋根パネル２ｂに設置した際には、逆にフィン本体１００が閉じないという事態が発生する虞がある。
【００３０】
そのため、補助ウエイト部１５０を、図３および図５に示す位置、すなわちフィン本体１００の蓋部１１０の背面側の両側端に立設してバランスを取ることにより、空気流入逆止弁１０を外壁パネル２ａおよび屋根パネル２ｂの何れに設置した場合であっても、僅かな上昇気流でフィン本体１００を開くことができるとともに、上昇気流が止まった場合には速やかにフィン本体１００を閉じることを可能としている。
【００３１】
また、フィン本体１００には、図３および図５に示すように、揚力発生凹スロープ１６０が削設されている。揚力発生凹スロープ１６０は、フィン本体１００蓋部１１０の背面側である空気流通層２０側に削設された凹状部材であり、上昇気流が通過することによりフィン本体１００が開く方向への軸回転力となる揚力を発生させるために切削した凹形状である。
【００３２】
揚力発生凹スロープ１６０の下部からスロープ上部方向へ上昇する空気の流れによって揚力が発生し、図６ａおよび図６ｂに示すように、フィン本体１００を空気流通層２０の建造物外側面に引き付けるように作動する。空気流通層２０内の空気が暖められることで上昇気流が発生すると、空気流通層２０内の空気流入逆止弁１０近傍の空気が上方向に引き上げられて、揚力発生凹スロープ１６０を通過し、発生した揚力によりフィン本体１００がフィン座２００から遠ざかる方向に軸回転移動して開口動作状態となり、開口部２１０より空気が空気流通層２０内に流入する。また、上昇気流の発生していない無気流時には、図６ａおよび図６ｂに示すように、シャフト１４０を中心とするフィン本体１００の重量バランスにより、フィン本体１００がフィン座２００に接近する方向に軸回転移動して、蓋部１１０がフィン座２００の開口に当接して閉鎖状態となり、空気の逆流を制御することにより、室内の暖気と空気流通層２０内で冷めた冷気が混合することに起因する結露の発生を抑制している。
【００３３】
より詳細に説明すると、凹状の揚力発生凹スロープ１６０は、電気等のエネルギーを駆動源とした装置を用いずに上昇気流という自然エネルギーを利用してフィン本体１００を軸回転揺動させる原動力を発生させる構造である。図６ａおよび図６ｂに示すように、揚力発生凹スロープ１６０の近辺に上昇気流が通過すると、スロープを沿って流れる気流がフィン本体１００を引き付ける力（揚力）を発生させる。すなわち、気流がスロープの壁面を沿って流れる性質により、空気流通層２０の建造物外側面寄りを流れる上昇気流と比べて揚力発生凹スロープ１６０寄りの上昇気流の方がスロープの凹み分ほど流れる距離が長く、気流の速度が上がり、空気圧が低下する。揚力発生凹スロープ１６０の反対側である蓋部１１０の開口部２１０側の前面側（２１０ａ）には上昇気流は発生していないため、フィンは気圧の下がった方へ引っ張られることになり、フィン本体１００が開く方向に軸回転移動することになる。これにより、フィン本体１００がシャフト１４０を中心に回転移動し、フィン座２００の開口部２１０から離れて開口状態となり、空気が空気流通層２０内に導入されることになる。
【００３４】
以上の構成により、空気流通層２０内に上昇気流が発生した際に、フィン本体１００の蓋部１１０の空気流通層２０側である背面側を上昇気流が通過することにより、フィン本体１００に揚力を生じさせ、フィン本体１００がフィン座２００から遠ざかる方向に軸回転移動して開口して、空気流通層２０内に空気を流入させることが可能となる。
【００３５】
補助ウエイト部１５０は、本実施例では、図３および図５に示すように、シャフト１４０より上部に設置している。また、補助ウエイト部１５０は、フィン本体１００の蓋部１１０の背面側（空気流通層２０側）の上部から下部に渡って流線型状に立設されている。この構成とすることにより、空気流入逆止弁１０を外壁パネル２ａおよび屋根パネル２ｂの何れに設置した場合であっても、僅かな上昇気流でフィン本体１００を開くことができるとともに、上昇気流が止まった場合にはフィン本体１００を閉じることが可能な重量バランスを取ることが可能となるとともに、補助ウエイト部１５０が空気流通層２０内の内壁に接触しない状態で、フィン本体１００の軸回転を行うことが可能となる。
【００３６】
フィン座２００は、フィン回転保護壁２３０を設置した構成とすることが可能である。本実施例では、フィン座２００に、図１に示すように、空気流通層２０側に空気流通層２０の幅と等幅からなる一対のフィン回転保護壁２３０が、フィン本体１００の左右に対峙するように設置した構成となっている。この構成とすることにより、フィン本体１００と空気流通層２０の内壁間に一定のクリアランスを確保することが可能となる。これにより、空気流通層２０内の壁面部材がフィン本体１００に接触することを防ぐことが可能となる。
【００３７】
蓋部１１０は、本実施例は、図３および図４に示すように、上側端部を水平に直線状に形成した構成となっている。すなわち、蓋部１１０は横長の略長方形に形成されている。この構成とすることにより、蓋部１１０の上部が軽くなるとともに、蓋部１１０上端の軸回転移動の距離を短くすることができる。また、揚力発生凹スロープ１６０を蓋部１１０背面側の横幅一杯に形成することが可能となる。この構成により、フィン本体１００の開方向への軸回転力となる揚力を揚力発生凹スロープ１６０全面で得ることが可能となる。また、蓋部１１０上端の軸回転移動の距離が短くなるため負荷が少なくなり、フィン本体１００の軸回転を容易にすることが可能となる。
【００３８】
蓋部１１０は、図３に示すように、本実施例では、凸状嵌合部１１２が設けられている。凸状嵌合部１１２は、開口部２１０を蓋体１１０が閉鎖する時に、開口部２１０（開口部の背面側２１０ｂ）に嵌着して密封閉鎖する部材である。凸状嵌合部１１２の凸部と、開口部２１０の凹状は、嵌合可能となるように同じ形状となっている。この構成により、フィン本体１００の蓋部１１０が閉じた状態の際に、密封状態とすることが可能となり、夜間等に気温が下がって空気流通層２０内の上昇気流が停止した際に、空気流通層２０内の空気が逆流して建造物の床下等に流入することを防止することが可能となるとともに、揚力発生凹スロープ１６０の曲面の深さを確保することが可能となる。
【００３９】
本発明に係る空気流入逆止弁１０を設置した建造物内の空気の流通機構の実施例について説明する。外壁パネル２ａは、図７に示すように、相互の空気流通層２０が一の連通路を形成するように、外壁パネル２ａ上部に接続口３ａを有している。また、屋根パネル２ｂは、建造物内部側に接続口３ａと接続するための接続受口３ｂが設けられている。また、屋根パネル２ｂの上部には、空気流通層２０を流通し上昇してきた空気を排出するための空気排気口５が設けられている。
【００４０】
建造物内の空気の流通機構をこの構成とすることにより、外壁パネル２ａおよび屋根パネル２ｂへ太陽光が照射されることによって空気流通層２０内に上昇気流が発生した際に、流通機構の建造物内部側に設けられた空気流入口４から空気流入逆止弁１０を介して空気が流入するとともに、空気が空気流通層２０内を上昇する。空気が屋根パネル２ｂ上部へ達した場合には、屋根パネル２ｂの空気流通層２０内から素早く排出されることとなる。このため、外壁パネル２ａおよび屋根パネル２ｂを一気に空気が上昇流通することとなり、小屋裏内での空気の滞留等を防ぎ、効率の良い空気流通を行うことが可能となった。なお、壁面に窓がある場所など、空気流通層２０を外壁パネル２ａおよび屋根パネル２ｂ間で連通することが出来ない場合は、図８に示すように、屋根パネル２ｂに空気流入逆止弁１０を設置することが可能となっている。
【図面の簡単な説明】
【００４１】
【図１】本発明に係る空気流入逆止弁の斜視図
【図２】フィン座の斜視図
【図３】空気流入逆止弁のフィン本体の斜視図
【図４】開口部側から見たフィン本体の斜視図
【図５】フィン本体の側面断面図
【図６ａ】壁面に設置した空気流入逆止弁の側面断面図
【図６ｂ】屋根に設置した空気流入逆止弁の側面断面図
【図７】空気流入逆止弁を設置した流通機構の概念図
【図８】屋根に空気流入逆止弁を設置した流通機構の概念図
【符号の説明】
【００４２】
１    流通機構
２ａ    外壁パネル
２ｂ    屋根パネル
３ａ    接続口
３ｂ    接続受口
４    空気流入口
５    空気排気口
１０    空気流入逆止弁
２０    空気流通層
１００    フィン本体
１１０    蓋部
１１２    凸状嵌合部
１２０    メインウエイト部
１３０    テールウエイト部
１４０    シャフト
１５０    補助ウエイト部
１６０    揚力発生凹スロープ
２００    フィン座
２１０    開口部
２１０ａ    開口部の前面側
２１０ｂ    開口部の背面側
２２０    軸受
２３０    フィン回転保護壁
【図１】
0006422840.tif 000002
【図２】
0006422840.tif 000003
【図３】
0006422840.tif 000004
【図４】
0006422840.tif 000005
【図５】
0006422840.tif 000006
【図６ａ】
0006422840.tif 000007
【図６ｂ】
0006422840.tif 000008
【図７】
0006422840.tif 000009
【図８】
0006422840.tif 000010